(57)【要約】【課題】ベースバンド部の動作クロック周波数が高くなることに伴い、付加機能のＲＦ部にノイズとなって受信性能に悪影響を及ぼす。【解決手段】付加機能のＲＦ部が扱う周波数において高インピーダンス特性を示すと共に直流を通すトラップフィルタを、主回路群とＲＦ部のＧＮＤの間に挿入する。広帯域のノイズのうち、受信性能に悪影響を及ぼす周波数だけがＲＦ部へ到達し難くなり、受信性能の悪化を阻止できるだけでなく、ＲＦ部の動作に必要な電源供給や信号の入出力に対する悪影響も少ない。【選択図】図１
2007274489.tif 000002
【特許請求の範囲】
【請求項１】
無線電話用の電波の送受信処理を行う第１高周波部と、
前記第１高周波部とは異なる通信方式の電波の受信処理を行う第２高周波部と、
前記第１高周波部で送信する信号及び受信した信号の処理と、前記第２高周波部で受信した信号の処理を行うベースバンド処理部と、
前記第１高周波部と前記ベースバンド部に接地電位を与える第１接地電位部と、
前記第２高周波部に接地電位を与える第２接地電位部と、
前記第１接地電位部と前記第２接地電位部との間に接続され、直流抵抗は低抵抗で、少なくとも前記第２高周波部が受信する電波の周波数において前記直流抵抗と比して高インピーダンス特性を示すフィルタ部と
を備えることを特徴とする無線通信端末。
【請求項２】
前記フィルタ部は前記第２高周波部が受信する電波の周波数における帯域減衰フィルタである
ことを特徴とする、請求項１記載の無線通信端末。
【請求項３】
前記第２高周波部の不使用時には切断するスイッチが前記フィルタ部と直列接続されていることを特徴とする、請求項１記載の無線通信端末。
【請求項４】
前記第２高周波部の不使用時には前記第１接地電位部と前記第２接地電位部とを直接接続するスイッチが前記フィルタ部と並列接続されていることを特徴とする、請求項１記載の無線通信端末。
【請求項５】
さらに前記第１及び第２高周波部とは異なる通信方式の電波の受信処理を行う第３高周波部を備え、
前記フィルタとして、前記第２高周波部を使用する場合に接続される第１フィルタ部と、前記第３高周波部を使用する場合に接続される第２フィルタ部とを有し、
前記第１フィルタ部は、直流抵抗は低抵抗で、少なくとも前記第第２高周波部が扱う電波の周波数において前記直流抵抗と比して高インピーダンス特性を示し、前記第２フィルタ部は、直流抵抗は低抵抗で、少なくとも前記第３高周波部の扱う電波の周波数において前記直流抵抗と比して高インピーダンス特性を示すことを特徴とする、請求項１記載の無線通信端末。
【発明の詳細な説明】
【技術分野】
【０００１】
本発明は、携帯型無線電話端末に適用して好適な無線通信端末に関し、特にＦＭラジオ放送やテレビジョン放送等の受信機能等を有する携帯電話端末に適用して好適な技術に関する。
【背景技術】
【０００２】
近年、携帯電話端末の付加機能（アプリケーション）にバリエーションが増えてきている。例えば、ＦＭラジオ（周波数７６〜９０ＭＨｚ）やテレビ（周波数９０〜２２２ＭＨｚ（ＶＨＦ）及び４７０〜７９０ＭＨｚ（ＵＨＦ））等の受信機能や、「BlueTooth」(登録商標)（周波数２．４０〜２．４８ＧＨｚ）に代表される近距離データ通信機能等である。また、地上デジタルテレビジョン放送サービスにおいては、俗に「ワンセグ」と呼ばれる、「携帯・移動体向けの１セグメント部分受信サービス」（周波数４７０〜７７０ＭＨｚ、ＵＨＦ１３〜６２ｃｈに相当）（以下「ワンセグ」と略）というものが新たに登場している。
【０００３】
図９に、従来技術による携帯電話端末のブロック図を示す。
携帯電話端末１０１には、図示しない単一の基板上に、以下に述べる回路が配線されている。
マイクロコンピュータ１０３のバスＢには、液晶表示部（ＬＣＤ）１０２、主ＲＦ部１０５、ベースバンド部１０６、ＡＦ部１０７が接続されている。
また、マイクロコンピュータ１０３にはキーパッド１０４が直接接続されている。
マイクロコンピュータ１０３は図示しない周知のＣＰＵとＲＯＭとＲＡＭよりなる、携帯電話端末１０１全体の制御を行うものである。
ＬＣＤ１０２はマイクロコンピュータ１０３の制御によって所定の文字や画像等を表示するものである。
キーパッド１０４は電源オンオフ、電話機能等の指令や文字入力等を行うものである。
主ＲＦ部１０５は、アンテナ１１３ａを通じて携帯電話端末１０１の主要な機能である電話機能にかかる電波の送受信を行うものである。また、付加的な機能として、周知のインターネット接続を通じて電子メールの送受信やｗｅｂサイト閲覧にも用いられる。
ベースバンド部１０６は周知のＤＳＰよりなり、主ＲＦ部１０５の復調信号からデータを取り出したり、データを主ＲＦ部１０５へ送る信号へ変調する等の役割を担う。
ＡＦ部１０７はオーディオ信号を扱うものであり、図示しないＡ／Ｄ変換器、Ｄ／Ａ変換器、デジタルアンプ等よりなり、スピーカ１１１とマイク１１２が接続される。
図９において、各構成部分はすべて共通の接地線ＧＮＤ（以下「ＧＮＤ」と略）に接続されていることに注意されたい。
【０００４】
第１副ＲＦ部１０８はＦＭラジオの受信回路フロントエンドである。
第２副ＲＦ部１０９はアナログテレビの受信回路フロントエンドである。
第３副ＲＦ部１１０はワンセグの受信回路フロントエンドである。
第１〜第３の副ＲＦ部にはアンテナ１１３ｂ、１１３ｃ、１１３ｄが接続され、所望の電波の受信を行う。
第１〜第３の副ＲＦ部はベースバンド部１０６に接続され、復調信号を出力する。
また、第１〜第３の副ＲＦ部はマイクロコンピュータ１０３に接続され、機能のオンオフ、局やチャンネルの同調等の制御を受ける。
これら第１〜第３の副ＲＦ部は携帯電話における副次的な機能を提供するものである。
【０００５】
【特許文献１】特開２０００−１７４５２７号公報
【特許文献２】特開平１１−２３９００１号公報
【発明の開示】
【発明が解決しようとする課題】
【０００６】
前述の従来技術におけるワンセグの受信においては、扱う情報の内容（コンテンツ）がアナログテレビ放送よりもデータ量の多いデジタルテレビ放送であるが故に、ベースバンド部１０６の信号処理も高速動作が要求される。このため、ベースバンド部１０６の動作クロックは従来の携帯電話端末よりも高速に動作しなければならない。例えば５０ＭＨｚ程度の動作クロックを要する。ベースバンド部１０６はＤＳＰよりなるデジタル回路であるが故に、高周波クロックによる動作は高周波ノイズを発生する。周知のようにデジタル回路は高調波成分の多い矩形波で駆動されるため、デジタル回路であるベースバンド部１０６は広帯域の高周波ノイズを発生する。これがデジタルテレビ受信用ＲＦ部である第３副ＲＦ部１１０に及び、受信性能に悪影響を与える。すなわち、至近距離にノイズ電波発生源があるために、受信感度が低下し、混信し、Ｓ／Ｎ比等が低下する。同様のことは他の付加機能を実行する際にも生じうる。すなわち、アナログテレビジョン放送やＦＭラジオ放送等の受信においても、ベースバンド部１０６が高クロック動作することにより、前述と同様に受信性能が低下する。そこで、これら付加機能の実現に際し、ノイズ対策が必要になる。
【０００７】
特許文献１には、ＣＰＵを内蔵する無線通信機器において、ＣＰＵのクロックノイズの影響を受け難くするために、ノートパソコンの筐体の中で最も面積的に大きい液晶表示パネルのシールドフレームにアンテナのＧＮＤを接続し、筐体のシールドフレームもアンテナの一部分とする技術内容が開示されている（特許文献１の００５８参照）。
【０００８】
特許文献１のアンテナ特性及びノイズ抑制特性の改善方法は、無線通信部（以下、「ＲＦ部」と略）のＧＮＤとノートパソコンのＧＮＤを結合させることにより、ＧＮＤの接地面積（以下「ＧＮＤ面積」と略）を広くして高周波的に同電位となることから、アンテナのＧＮＤ特性を安定させるものである。これは、ＧＮＤ面積が極めて小さいＲＦモジュールと、適度なＧＮＤ面積を有するノートパソコンなどの組み合わせの場合等に効果的である。しかしながら、携帯電話などの小型携帯通信端末のＧＮＤ面積はもともと極めて小さく、この方法によりアンテナのＧＮＤ面積を大きくして特性を改善することは難しい。逆にＧＮＤ面積が小さいため、却って不要なノイズを輻射するアンテナになってしまう可能性がある。したがって、小型携帯通信端末に特許文献１の技術は適用できない。
【０００９】
本発明はかかる点に鑑みてなされたものであり、筐体の大きさが制約される小型携帯通信端末における、電波を使用する付加機能の提供に際し、内蔵する回路が発するノイズの影響を効果的に低減すると共に、ノイズ対策による他の機能に対する悪影響を最小限に留めることを目的とする。
【課題を解決するための手段】
【００１０】
上記課題を解決するための本発明は、無線電話用の電波の送受信処理を行う第１高周波部と、第１高周波部とは異なる通信方式の電波の受信処理を行う第２高周波部と、第１高周波部で送信する信号及び受信した信号の処理と第２高周波部で受信した信号の処理を行うベースバンド処理部と、第１高周波部とベースバンド部に接地電位を与える第１接地電位部と、第２高周波部に接地電位を与える第２接地電位部と、第１接地電位部と第２接地電位部との間に接続され、直流抵抗は低抵抗で、少なくとも第２高周波部が受信する電波の周波数において前記直流抵抗と比して高インピーダンス特性を示すフィルタ部とを備える無線通信端末としたものである。
【００１１】
信号処理部からその動作クロックに起因して発されるノイズは広帯域の周波数特性を有する。この広帯域ノイズのうち、付加機能を提供するＲＦ部が直接ノイズによる被害を蒙る周波数は、高周波部が今まさに受信している電波の周波数そのものであり、その周波数或はその周波数領域のノイズさえ高周波部に及ばないような工夫をすれば、高周波部は安定した性能を発揮できる。
そして、この技術的思想を実現するため、各々の信号線にフィルタを挿入するのではなく、接地電位部にノイズに対して高インピーダンス特性を示すフィルタを挿入する構成とした。
【発明の効果】
【００１２】
本発明により、接地電位部の有効長を十分取ることが困難な小型の無線通信端末において、付加機能として追加される無線受信機能における、主たる回路部分から発されるノイズによる受信性能の低下を効果的に防ぐと共に、必要な信号送受信性能の悪化も防ぐことができる。
したがって、携帯型無線通信端末に付加機能を容易に安定した状態で追加できる。
【発明を実施するための最良の形態】
【００１３】
以下、本発明の第１の実施の形態を、図１〜図３を参照して説明する。
【００１４】
図１は、本発明の第１の実施の形態に係る携帯型無線通信端末のうち、発明の必須構成要件を抜粋したブロック図である。
【００１５】
携帯型無線通信端末１は周知の携帯電話である。
第１高周波部２は、携帯電話の通話に必要な電波の送受信（８０６〜９６０ＭＨｚ、１．４２９〜１．５１６ＧＨｚ、１．９２〜１．９８ＧＨｚ或は２．１１〜２．１７ＧＨｚ）の高周波処理を行う回路であり、周知の同調回路や検波回路等で構成される。なお、以下の説明では、高周波部はＲＦ部(Radio Frequency)と称する。
第１ＲＦ部２にはアンテナ７ａが接続される。
信号処理部３はベースバンド部とも呼ばれるものであり、主にＤＳＰ(Digital Signal Processor: 音声や画像などの処理に特化した演算処理集積回路装置）で構成される。受信電波から第１ＲＦ部２によって復調された信号或はデータに所定の処理を施したり、信号或はデータに所定の処理を施し、変調させて基地局へ送信するために第１ＲＦ部２へ送出する処理等を行う。
なお、信号処理部３には通話に必要なオーディオ信号の入出力を行うＡＦ部(Audio Frequency: オーディオ信号周波数の意）や、所定の制御を行うマイクロプロセッサが接続されるが、本発明には直接関係するものではないので図示を省略している。これらは後述する実施例２以降にて詳述する。
【００１６】
第１ＲＦ部２と信号処理部３との間は第１の信号線ＳＬ１にて接続されている。
また、第１ＲＦ部２と信号処理部３はそれぞれ第１接地線ＧＮＤ１に接地されている。
第１ＲＦ部２と信号処理部３との信号の送受信は、第１の信号線ＳＬ１と第１接地線ＧＮＤ１によってもたらされる。
また、周知のように、第１接地線ＧＮＤ１は充電式電池６の陰極が接続される。
充電式電池６の正極には電源供給線＋Ｖｃｃが接続されている。
【００１７】
第２ＲＦ部４は、第１ＲＦ部２とは扱う電波の周波数帯や変調方式、又は使用者に提供される内容のいずれか一つ以上が異なるサービスに対し、少なくとも電波の受信機能を提供するものである。
具体的には、例えば
−  ＦＭラジオ放送（周波数７６〜９０ＭＨｚ）
−  アナログ地上波テレビジョン放送（周波数９０〜２２２ＭＨｚ（ＶＨＦ）及び４７０〜７９０ＭＨｚ（ＵＨＦ））
−  「BlueTooth」（登録商標）（周波数２．４０〜２．４８ＧＨｚ）、ＩＥＥＥ８０２．１１等で定義される無線ＬＡＮ（周波数２．４０〜２．４９７ＧＨｚ或は４．９〜５．０９１ＧＨｚ）等の近距離データ通信機能
−  「ワンセグ」と呼ばれる、地上波デジタルテレビの「携帯・移動体向けの１セグメント部分受信サービス」（周波数４７０〜７７０ＭＨｚ、ＵＨＦ１３〜６２ｃｈに相当）（以下「ワンセグ」と略）
に代表される、無線通信或は放送等、電波を扱うサービス或は機能である。
ここでは典型例として、第２ＲＦ部４はワンセグの受信機能を提供するものとする。
第２ＲＦ部４にもアンテナ７ｂが接続されており、アンテナ７ｂから放送電波を受信し、復調を行う。
第２ＲＦ部４は第２の信号線ＳＬ２を通じて信号処理部３に接続されている。信号処理部３は通話機能に必要な信号処理に留まらず、ワンセグの信号処理も行い、図示しないマイコンを通じて図示しないＬＣＤに放送動画を表示すると共に、図示しないＡＦ部を通じて放送音声を再生する。
【００１８】
信号処理部３はワンセグの信号処理のため、およそ５０ＭＨｚ程度の周波数のクロックにて動作する。このため、クロックの高調波成分が、第２ＲＦ部４が受信する電波である、４７０〜７７０ＭＨｚ近辺の周波数に及ぶことがある。
【００１９】
第２ＲＦ部４からは第２接地線ＧＮＤ２が第２ＲＦ部４の接地線として接続されている。第２接地線ＧＮＤ２はフィルタ部５を介して第１接地線ＧＮＤ１と接続されている。フィルタ部５はコイルとコンデンサの並列接続よりなり、直流抵抗は極めて低い抵抗値を示しつつ、高周波領域では高インピーダンス特性を示す。
第２ＲＦ部４は電源供給線＋Ｖｃｃが接続されており、第２接地線ＧＮＤ２とフィルタ部５と第１接地線ＧＮＤ１を通じて電源供給を受けている。
また、第２ＲＦ部４と信号処理部３との信号の送受信は、第２の信号線ＳＬ２と、第２接地線ＧＮＤ２とフィルタ部５と第１接地線ＧＮＤ１を通じて、もたらされる。
【００２０】
フィルタ部５は第２ＲＦ部４が受信する電波である、４７０〜７７０ＭＨｚ近辺の周波数において高インピーダンス特性を示す帯域減衰フィルタである。例えばトラップフィルタとも呼ばれる、コイルとコンデンサを並列接続したものを挿入した構成である。
コイルが直流を通過させるので、第２ＲＦ部４に対する電源の供給に支障は生じない。
また、第２ＲＦ部４から発される復調信号はフィルタ部５の減衰周波数帯より低い周波数であるため、フィルタ部５を難なく通過する。したがって、第２ＲＦ部４から信号処理部３への復調信号の送出に支障は生じない。
【００２１】
一方、信号処理部３から発され、電源供給線＋Ｖｃｃ及び第２の信号線ＳＬ２を通じて第２ＲＦ部４へ混入しようとする高周波ノイズのうち、第２ＲＦ部４が受信する電波である、４７０〜７７０ＭＨｚ近辺の周波数においては、フィルタ部５によって阻止される。
したがって、第２ＲＦ部４においてはノイズによる受信感度の低下、混信、Ｓ／Ｎ比等の低下による受信性能の低下が阻止され、十分な受信性能が確保される。
【００２２】
図２（ａ）は、信号処理部３のベースクロックと、信号処理部３から発されるノイズの周波数分布と、ＦＭラジオ、アナログ地上波テレビそしてワンセグの周波数帯とを対比して図示した、模式的な周波数分布グラフである。
図２（ｂ）は、ＦＭラジオ、アナログ地上波テレビそしてワンセグの周波数帯に対応するトラップフィルタの周波数特性を模式的に示す、周波数分布グラフである。
図２（ａ）に示すように、信号処理部３のベースクロックは５０ＭＨｚであり、クロックは矩形波であることから、この高調波成分がＦＭラジオ、アナログ地上波テレビ及びワンセグの周波数帯に及んでいる。
そこで、図２（ｂ）に示すように、各周波数帯域に応じたトラップフィルタを用意する必要がある。
【００２３】
ところで、電波の送受信性能を向上させるには、接地線の有効長を十分確保することが求められる。図１において第１ＲＦ部２が電波を送受信する際には、第１ＲＦ部２に接続されている図示しないアンテナだけでなく、接地線の有効長がどの程度確保されているかが問題となる。フィルタ部５は第１ＲＦ部２が扱う周波数帯の電波を通過させるので、第１ＲＦ部２からは第１接地線ＧＮＤ１と第２接地線ＧＮＤ２が実質的に一体化した一つの接地線として見えることとなり、第２接地線ＧＮＤ２の分だけ接地線の有効長を確保することができる。
【００２４】
図１に示す構成によれば、接地線の有効長を十分取ることが困難な携帯電話端末において、付加機能として追加されるワンセグ等の無線受信機能における、ベースバンド部等から発されるノイズによる受信性能の低下を効果的に防ぐと共に、必要な信号送受信性能の悪化も防ぐことができる。
したがって、本実施の形態により、携帯電話端末の設計の自由度が増し、特に付加機能において安定した性能を容易に得ることができる。
また、従来技術と異なり、電源供給線や信号線の全てにトラップフィルタを挿入する必要がなく、接地線に一つだけトラップフィルタを挿入すればよいので、フィルタに要するコストが最小限で済む。
【００２５】
図３は図１の応用形態を示す抜粋部分のブロック図である。
図３（ａ）及び図３（ｂ）には、図示しないマイコンによりオンオフ制御されるスイッチが記されている。
図３（ａ）のように、フィルタ部５に直列にスイッチＳＷ１ａを挿入することにより、第２ＲＦ部４の不使用時にスイッチＳＷ１ａをオフすれば、第２ＲＦ部４の電源スイッチをも兼用できることとなる。
図３（ｂ）のように、フィルタ部５に並列にスイッチＳＷ１ｂを挿入することにより、第２ＲＦ部４の不使用時にスイッチＳＷ１ｂをオンすれば、第１ＲＦ部２と第２ＲＦ部４の間にあるフィルタ部５が短絡され、第１ＲＦ部２から見て第１接地線ＧＮＤ１と第２接地線ＧＮＤ２が完全に一体化した接地線となるので、特に通話時等の電波送信性能の向上が期待できる。
【００２６】
次に、本発明の第２の実施の形態を、図４〜図６を参照して説明する。図４は、本実施の形態に係る携帯型無線通信端末の主要部分を示す全体ブロック図である。
【００２７】
携帯型無線通信端末２０ａは周知の携帯電話である。
携帯型無線通信端末２０ａの内部回路は、二つの基板より構成されている。
主基板２１には、主ＲＦ部２２、ベースバンド部２３、マイクロコンピュータ２６（以下、「マイコン」と略）等、携帯電話の主要な機能を提供する回路が搭載されている。
副基板４０には、携帯電話の付加機能の高周波信号処理回路である、第１副ＲＦ部４１、第２副ＲＦ部４２、第３副ＲＦ部４３が搭載されている。
【００２８】
マイコン２６のバスＢには、液晶表示部（ＬＣＤ）２５、主ＲＦ部２２、ベースバンド部２３、ＡＦ部２４が接続されている。
また、マイコン２６にはキーパッド２７が直接接続されている。
マイコン２６は周知のＣＰＵとＲＯＭとＲＡＭよりなる、携帯電話端末全体の制御を行うものである。
ＬＣＤ２５はマイコン２６の制御によって所定の文字や画像等を表示するものである。
キーパッド２７は電源オンオフ、電話機能等の指令や文字入力等を行うものである。
主ＲＦ部２２は、携帯電話の主要な機能である電話機能にかかる電波の送受信を行うものである。また、付加的な機能として、周知のインターネット接続を通じて電子メールの送受信やｗｅｂサイト閲覧にも用いられる。
ベースバンド部２３は周知のＤＳＰよりなり、主ＲＦ部２２の復調信号からデータを取り出したり、データを主ＲＦ部２２へ送る信号へ変調する等の役割を担う。
ＡＦ部２４はオーディオ信号を扱うものであり、図示しないＡ／Ｄ変換器(Analog to Digital: アナログ信号をデジタル信号に変換する回路)、Ｄ／Ａ変換器(Digital to Analog: デジタル信号をアナログ信号に変換する回路)、デジタルアンプ等よりなり、スピーカ２８とマイク２９が接続される。
主ＲＦ部２２とベースバンド部２３との間は、信号線ＳＬ１が接続されている。
電池３０は周知の充電式電池であり、正極は主基板２１の電源供給線＋Ｖｃｃに、負極は主基板２１の第１接地線ＧＮＤ１に接続されている。
また、主基板２１の電源供給線＋Ｖｃｃは副基板４０の電源供給線＋Ｖｃｃにも接続されており、共通である。
【００２９】
第１副ＲＦ部４１はＦＭラジオの受信回路フロントエンドである。
第２副ＲＦ部４２はアナログテレビの受信回路フロントエンドである。
第３副ＲＦ部４３はワンセグの受信回路フロントエンドである。
第１〜第３の副ＲＦ部とベースバンド部２３との間は、信号線ＳＬ２が接続されており、ベースバンド部２３に復調信号を出力する。
また、第１〜第３の副ＲＦ部はマイコン２６のバスＢに接続され、機能のオンオフ、局やチャンネルの同調等の制御を受ける。
これら第１〜第３の副ＲＦ部は携帯電話における副次的な機能を提供するものである。
但し、このバスＢは接地線を含まないものであることに注意されたい。
【００３０】
信号線ＳＬ２はベースバンド部２３から第１副ＲＦ部４１、第２副ＲＦ部４２、第３副ＲＦ部４３に接続されている。
信号線ＳＬ２は第１副ＲＦ部４１、第２副ＲＦ部４２、第３副ＲＦ部４３のそれぞれの信号線を兼用するものである。
なお、信号線ＳＬ２とマイコン２６のバスＢを兼用する構成にすることもできる。
【００３１】
第１フィルタ３１、第２フィルタ３２、第３フィルタ３３は主基板２１上に設置されている。
第１フィルタ３１、第２フィルタ３２、第３フィルタ３３の一方の端子は主基板２１の第１接地線ＧＮＤ１に接地されている。
第１フィルタ３１、第２フィルタ３２、第３フィルタ３３のもう一方の端子は、選択スイッチ３４に接続されている。
選択スイッチ３４はマイコン２６のバスＢにも接続され、マイコン２６の制御を受ける。
選択スイッチ３４のもう片方の端子は副基板４０の第２接地線ＧＮＤ２に接地されている。
第１フィルタ３１は第１副ＲＦ部４１に対応するものであり、ＦＭラジオの周波数帯において高インピーダンス特性を示すトラップフィルタである。
第２フィルタ３２は第２副ＲＦ部４２に対応するものであり、アナログテレビの周波数帯において高インピーダンス特性を示すトラップフィルタである。
第３フィルタ３３は第３副ＲＦ部４３に対応するものであり、地上波デジタルテレビの周波数帯において高インピーダンス特性を示すトラップフィルタである。
なお、選択スイッチ３４にはどこにも接続されない空き端子Ｔｅがあり、この端子を選択した状態になると、主基板２１の第１接地線ＧＮＤ１と副基板４０の第２接地線ＧＮＤ２は電気的に切断される。
【００３２】
利用者がＦＭラジオを聴く際には、キーパッド２７を通じてマイコン２６にＦＭラジオ機能を選択するべく指令する。
マイコン２６はこれに呼応して、第１副ＲＦ部４１を起動すると共に、選択スイッチ３４を第１フィルタ３１を選択するべく制御する。
ベースバンド部２３やマイコン２６等から発される高周波ノイズは、信号線ＳＬ２や電源供給線＋Ｖｃｃを通して第１副ＲＦ部４１へ混入しようとするが、ＦＭラジオの周波数帯にて高インピーダンス特性を示す第１フィルタ３１によって、信号の混入が阻止される。
また、第１フィルタ３１の直流抵抗は低く、ＦＭラジオ以外の周波数帯でも低インピーダンス特性を示すので、主に着信待機を行う主ＲＦ部２２の動作や、第１副ＲＦ部４１の復調信号の伝送や、マイコン２６のバスＢ上のコマンドやデータの転送に対する影響は小さい。
【００３３】
前述と同様に、利用者がアナログ地上波テレビを観る際には、キーパッド２７を通じてマイコン２６にアナログ地上波テレビ機能を選択する。
マイコン２６はこれに呼応して、第２副ＲＦ部４２を起動すると共に、選択スイッチ３４を第２フィルタ３２を選択するべく制御する。
ベースバンド部２３やマイコン２６等から発される高周波ノイズは、信号線ＳＬ２や電源供給線＋Ｖｃｃを通して第２副ＲＦ部４２へ混入しようとするが、アナログ地上波テレビの周波数帯にて高インピーダンス特性を示す第２フィルタ３２によって、ノイズの混入が阻止される。
また、第２フィルタ３２の直流抵抗は低く、アナログ地上波テレビ以外の周波数帯でも低インピーダンス特性を示すので、主に着信待機を行う主ＲＦ部２２の動作や、第２副ＲＦ部４２の復調信号の伝送や、マイコン２６のバスＢ上のコマンドやデータの転送に対する影響は小さい。
【００３４】
同様に、利用者がワンセグを観る際には、キーパッド２７を通じてマイコン２６にワンセグを選択する。
マイコン２６はこれに呼応して、第３副ＲＦ部４３を起動すると共に、選択スイッチ３４を第３フィルタ３３を選択するべく制御する。
ベースバンド部２３やマイコン２６等から発される高周波ノイズは、信号線ＳＬ２や電源供給線＋Ｖｃｃを通して第３副ＲＦ部４３へ混入しようとするが、ワンセグの周波数帯にて高インピーダンス特性を示す第３フィルタ３３によって、ノイズの混入が阻止される。
また、第３フィルタ３３の直流抵抗は低く、ワンセグ以外の周波数帯でも低インピーダンス特性を示すので、主に着信待機を行う主ＲＦ部２２の動作や、第３副ＲＦ部４３の復調信号の伝送や、マイコン２６のバスＢ上のコマンドやデータの転送に対する影響は小さい。
【００３５】
図５は、図４に示す携帯型無線通信端末２０ａのうち、選択スイッチ３４と第１フィルタ３１、第２フィルタ３２、第３フィルタ３３の部分を換えた抜粋部分のブロック図である。
【００３６】
ベースバンド部２３は常に高い周波数のクロックで駆動されなければならない訳ではない。特に、携帯電話では充電式電池の消費電力がシビアであるので、できる限り電力消費は少ない方が望ましい。実施例２において、ベースバンド部２３のクロックを高周波にせざるを得ない理由は、ワンセグの信号処理によるものであるから、それ以外の付加機能においてクロックを高周波にしなくても良いのなら、クロックは低くする方が、電力消費の面で有利である。つまり、ベースバンド部２３を可変クロックにて動作させる構成にし、低クロック動作ではノイズの影響が小さいので敢えてフィルタを使用しない、という構成にすることも考えられる。
図５（ａ）では、図４と違い、ＦＭラジオに対応する第１フィルタ３１がない代わりに、単に主基板２１の第１接地線ＧＮＤ１と副基板４０の第２接地線ＧＮＤ２同士を導通させている。これはベースバンド部２３を可変クロックで動作させる構成にすることにより、ＦＭラジオを聴く際にはベースバンド部２３が低クロック周波数で動作するために、第１副ＲＦ部４１へのノイズの影響が無視できるほど小さく、敢えてフィルタを設ける必要がないので、接地線同士を導通させているものである。
また、図４と違い、副基板４０上の回路に対する電源スイッチを兼ねない構成にしている。通話機能における接地線の面積を確保するためには、このような構成が良い。
【００３７】
図５（ｂ）では、図４と違い、副基板４０上の回路に対する電源スイッチを兼ねない構成にしている。全ての電波受信に係る付加機能において、ノイズの影響を無視できないと共に、通話機能における接地線の面積を確保するためには、このような構成が良い。
【００３８】
図６は、図４に類似する、本発明の一実施形態に係る携帯型無線通信端末２０ｂの主要部分を示す全体ブロック図である。
図４と違い、第１フィルタ３１、第２フィルタ３２、第３フィルタ３３と選択スイッチ３４は副基板４０上に設置されている。
これ以外の部分は図４と同じなので詳細は省略する。
すなわち、フィルタとスイッチの配置は主基板２１と副基板４０のどちらにあっても良い。
【００３９】
次に、本発明の第３の実施の形態を、図７及び図８を参照して説明する。図７は、本実施の形態に係る携帯型無線通信端末２０ｃの主要部分を示す全体ブロック図である。
なお、図７は図４に示した携帯型無線通信端末２０ａと、一部を除いて同一の構成部分よりなるので、同一部分に関する説明は省略する。
【００４０】
可変トラップフィルタ５０は、図４の第１フィルタ３１、第２フィルタ３２、第３フィルタ３３と選択スイッチ３４に換えて設けられているものである。
可変トラップフィルタ５０は、マイコン２６の制御により、指定された周波数領域において高インピーダンス特性を示すものである。
【００４１】
図８に可変トラップフィルタ５０の、主基板２１上における実装例を示す。
図２（ｃ）に可変トラップフィルタ５０の周波数特性を示す。
プリント配線パターンにより構成されるインダクタＬは、そのパターンの間にＦＥＴ(Field Effect Transistor: 電界効果型トランジスタ）スイッチＴｒ１、Ｔｒ２、Ｔｒ３、Ｔｒ４が配されている。各々のＦＥＴスイッチがマイコン２６の制御によってオンオフ動作することにより、インダクタのインダクタンスが変化する。これにより、トラップフィルタの中心減衰周波数が変化する。すなわち、第１副ＲＦ部４１、第２副ＲＦ部４２、第３副ＲＦ部４３にて受信する電波の周波数にトラップフィルタの中心減衰周波数を追従させれば、より効果的なノイズ対策が実現できる。なお、この技術は従来技術である特許文献２に詳述されている。
【００４２】
なお、第２の実施の形態及び第３の実施の形態においては、主基板２１と副基板４０が物理的に分離しているが、本発明は物理的に同一の基板上に全ての回路が実装されることを妨げるものではない。
本発明の趣旨は、主基板２１上に配線される回路の接地線と副基板４０上に配線される回路の接地線との間にフィルタを挟むことである。このことからすれば、主基板２１と副基板４０が物理的に同一基板上に実装されていても電気的にそれぞれの接地線との間にフィルタが介在する構成になっていれば良い。
【図面の簡単な説明】
【００４３】
【図１】本発明の第１の実施の形態による携帯型無線通信端末の例を示すブロック図である。
【図２】各サービスの周波数帯域とノイズの周波数特性とフィルタの周波数特性を模式的に示すグラフである。
【図３】図１に示す携帯型無線通信端末の一部分の応用形態の例を示す一部ブロック図である。
【図４】本発明の第２の実施の形態による携帯型無線通信端末の例を示すブロック図である。
【図５】図４に示す携帯型無線通信端末の一部分の応用形態の例を示す一部ブロック図である。
【図６】本発明の第２の実施の形態による携帯型無線通信端末の例を示すブロック図である。
【図７】本発明の第３の実施の形態による携帯型無線通信端末の例を示すブロック図である。
【図８】図８に示す携帯型無線通信端末の一部分を示す模式図である。
【図９】従来の携帯型無線通信端末の一例を示すブロック図である。
【符号の説明】
【００４４】
１…携帯型無線通信端末、２…第１ＲＦ部、３…信号処理部、４…第２ＲＦ部、５…フィルタ部、６…充電式電池、７ａ、７ｂ…アンテナ、２０…携帯型無線通信端末、２１…主基板、２２…主ＲＦ部、２３…ベースバンド部、２４…ＡＦ部、２５…ＬＣＤ、２６…マイコン、２７…キーパッド、２８…スピーカ、２９…マイク、３０…電池、３１…第１フィルタ、３２…第２フィルタ、３３…第３フィルタ、３４…選択スイッチ、３５…アンテナ、４０…副基板、４１…第１副ＲＦ部、４２…第２副ＲＦ部、４３…第３副ＲＦ部、４４ａ、４４ｂ、４４ｃ…アンテナ、５０…可変トラップフィルタ、ＧＮＤ１…第１接地線、ＧＮＤ２…第２接地線、ＳＬ１…第１の信号線、ＳＬ２…第２の信号線、Ｂ…バス
【図１】
2007274489.tif 000003
【図２】
2007274489.tif 000004
【図３】
2007274489.tif 000005
【図４】
2007274489.tif 000006
【図５】
2007274489.tif 000007
【図６】
2007274489.tif 000008
【図７】
2007274489.tif 000009
【図８】
2007274489.tif 000010
【図９】
2007274489.tif 000011